(57)【要約】【課題】冷蔵庫や収納棚などの什器が地震時に冷蔵庫や収納棚などの什器が滑り出したり転倒することを防止する簡便な転倒防止具を提供する。【解決手段】什器の底面と什器が置かれる載置面との間に挿入されて地震時に什器の転倒を防止する転倒防止具であって、前記載置面に立設される立設部材とその上部近傍から後方へ載置面に向けて傾斜する傾斜部材を備え、前記傾斜部材が載置面との間に空間を有し前記立設部材又は前記傾斜部材の前記載置面に接する部分が第１滑り止め部を有している。【選択図】図１
2019136064.tif 000002
【特許請求の範囲】
【請求項１】
什器の底面と什器が置かれる載置面との間に挿入されて地震時に什器の転倒を防止する転倒防止具であって、
前記載置面に立設される立設部材とその上部近傍から後方へ前記載置面に向けて傾斜する傾斜部材を備え、
前記傾斜部材が前記載置面との間に空間を有し
前記立設部材又は前記傾斜部材の前記載置面に接する部分が第１滑り止め部を有していることを特徴とする転倒防止具。
【請求項２】
前記傾斜部材の前記底面に接する部分が第２滑り止め部を有していることを特徴とする請求項１に記載の転倒防止具。
【請求項３】
前記傾斜部材の上面に前記傾斜部材の傾斜方向に略直角な複数の溝が設けられていることを特徴とする請求項２に記載の転倒防止具。
【請求項４】
前記第１滑り止め部又は前記第２滑り止め部が滑り止め部材により構成されていることを特徴とする請求項２に記載の転倒防止具。
【請求項５】
前記滑り止め部材が塩ビシート又はシリコン樹脂シートであることを特徴とする請求項4に記載の転倒防止具。
【請求項６】
前記什器の前記底面と前記什器が置かれる前記載置面との間に前記転倒防止具が挿入される際に前記傾斜部材が撓み、その弾性力により前記第２滑り止め部を前記什器の前記底面へ押し付けることを特徴とする請求項２乃至５の何れかに記載の転倒防止具。
【請求項７】
前記傾斜部材が合成樹脂材で形成されることを特徴とする請求項１乃至６の何れかに記載の転倒防止具。
【発明の詳細な説明】
【技術分野】
【０００１】
本発明は、地震等により冷蔵庫や収納棚などの什器が大きく揺れた場合に什器の滑り出しや転倒を防止する転倒防止具に関する。
【背景技術】
【０００２】
従来、地震により家庭に於ける冷蔵庫や家具及び工場や事務所の収納棚などの什器が転倒することを防止する装置が種々提案されている。
【０００３】
たとえば、特許文献１に開示されている転倒防止具は天井と家具の上面との間に角度変動可能なダンパを設けて多方向の揺れに対応する転倒防止装置が開示されている。また、特許文献２には天井と什器の上面との間に突っ張り手段を設けるだけでなく床との間に挟み込む固定部材を加えた構成が開示されている。
【０００４】
特許文献３には家具を装着するための背板を突っ張り装置で固定する家具の転倒防止装置が開示されている。特許文献４には地震時に什器の前後に脚がせり出して什器の転倒を防止する転倒防止装置が開示されている。
【０００５】
特許文献５には家具前面の下に敷く家具転倒防止パッドが開示されており、このパッドが家具から外れないように抑えピンを組み合わせる仕組みが開示されている。
【先行技術文献】
【特許文献】
【０００６】
【特許文献１】特開２０１７−１５３７６２
【特許文献２】特開２０１４−５０５１６
【特許文献３】特開２０１７−２３６６３
【特許文献４】特開平１１−１０３９６１
【特許文献５】特開２０１３−１８４０３８
【発明の概要】
【発明が解決しようとする課題】
【０００７】
しかしながら、特許文献１及び特許文献２に開示される天井と家具の上面との間に突っ張りを設ける転倒防止装置は地震の際に天井に大きな力が加わり天井に強度が求められるという問題がある。
【０００８】
また、特許文献３に開示される転倒防止具は、天井と床との間に家具よりも大きな高さの部材を固定するため装置が大掛かりとなり設置も手間がかかる。特許文献４に開示される転倒防止具は、地震時に什器の前後に支持部材が突出する仕組みなので構造が複雑になる。
【０００９】
特許文献５には地震時に家具の下へ敷いた転倒防止具が外れないようにピンを立てるので転倒防止具が外れにくいが地震時に家具が転倒防止具とともに床の上を滑り出すという問題が残る。
【００１０】
そこでこの発明の目的は、上述した事情に鑑みて冷蔵庫や収納棚などの什器が地震時に滑り出したり転倒することを防止する簡便な転倒防止具を提供することである。
【課題を解決するための手段】
【００１１】
発明に係る転倒防止具は、什器の底面と什器が置かれる載置面との間に挿入されて地震時に什器の転倒を防止する転倒防止具であって、前記載置面に立設される立設部材とその上部近傍から後方へ載置面に向けて傾斜する傾斜部材を備え、前記傾斜部材が載置面との間に空間を有し前記立設部材又は前記傾斜部材の前記載置面に接する部分が第１滑り止め部を有していることを特徴とする。
【００１２】
載置面に立設される立設部材とその上部近傍から後方へ載置面に向けて傾斜する傾斜部材を備え、前記傾斜部材が載置面との間に空間を有し前記立設部材又は前記傾斜部材の前記載置面に接する部分が第１滑り止め部を有しているので、什器の前面からの挿入が容易で滑り止め部により転倒防止具の滑り出しを防止することができる。
【００１３】
本発明の転倒防止具は、傾斜部材の前記底面に接する部分が第２滑り止め部を有していることを特徴とする。
【００１４】
傾斜部材の前記底面に接する部分が第２滑り止め部を有しているので転倒防止具が什器の底面に密着して地震時に什器の移動と転倒を防止する。
【００１５】
本発明の転倒防止具は、前記傾斜部材の上面に前記傾斜部材の傾斜方向に略直角な複数の溝が設けられていることを特徴とする。
【００１６】
傾斜部材の上面に前記傾斜部材の傾斜方向に略直角な複数の溝が設けられているので什器が滑りにくくさらにその溝に滑り止め部材が食い込んで滑り止め効果が向上する。
【００１７】
本発明の転倒防止具は、第１滑り止め部又は第２滑り止め部が滑り止め部材により構成されていることを特徴とする。
【００１８】
第１滑り止め部又は第２滑り止め部が滑り止め部材により構成されているので摩擦係数の大きな滑り止め部材を適宜選択して滑り止め部を構成することができる。
【００１９】
本発明の転倒防止具は、滑り止め部材が塩ビシート又はシリコン樹脂シートであることを特徴とする。
【００２０】
滑り止め部材が入手容易な塩ビシート又はシリコン樹脂シートで形成されるので安価に転倒防止具を構成することができる。
【００２１】
本発明の転倒防止具は、什器の底面と前記什器が置かれる載置面との間に転倒防止具が挿入される際に傾斜部材が撓み、その弾性力により第２滑り止め部を前記什器の底面へ押し付けることを特徴とする。
【００２２】
什器の底面と什器が置かれる載置面との間に転倒防止具が挿入される際に傾斜部材が撓み、その弾性力により第２滑り止め部を前記什器の底面へ押し付けるので大きな弾性力を得ることができる。
【００２３】
本発明の転倒防止具は、傾斜部材が合成樹脂材で形成されることを特徴とする。
【００２４】
傾斜部材が入手容易な合成樹脂材で形成されるので安価に転倒防止具を構成することができる。
【図面の簡単な説明】
【００２５】
【図１】本発明に係る転倒防止具の斜視図である。
【図２】本発明に係る転倒防止具の側面図である。
【図３】冷蔵庫の（Ａ）定常状態、（Ｂ）揺れ状態の説明図である。
【図４】冷蔵庫と床との間へ転倒防止具を装着する説明図である。
【図５】従来使われている転倒防止具
【発明を実施するための形態】
【００２６】
以下、本発明の実施形態を図面に基づいて説明する。図１は冷蔵庫などの什器と載置面である床との間に挿入される転倒防止具１０の斜視図である。転倒防止具１０は弾性を有する合成樹脂材、例えば軟質塩化ビニール材で形成される本体部２とこれを覆う摩擦係数の大きい滑り止めシート１で構成される。滑り止めシート１は接着剤や両面テープ等で本体部２へ固着される。ここで、転倒防止具の挿入される図の右側方向を転倒防止具の後方、手前の立ち上がっている図の左側方向を転倒防止具の前方とする。
【００２７】
図２に立設部材２１と傾斜部材２２とからなる転倒防止具１０の側面図を示す。本体部２は床に接している立設部材２１とこれに上部近傍から床へ向けて傾斜する傾斜部材２２で構成されて立設部材２１の端部と傾斜部材２２の端部との間に床との間の空間ができる。立設部材２１の端部又は傾斜部材２２の端部を第２滑り止め部としての滑り止め部材１で覆うが一枚シートで被う場合は両方を覆うことが好適である。使用する滑り止め部材１は塩ビシートやシリコン樹脂シートなどの柔軟な合成樹脂材が好適である。
【００２８】
傾斜部材２２の上面には転倒防止具１０が挿入される矢印方向に対してほぼ直角な向きに複数の溝３が形成される。転倒防止具１０が什器の底面と床との間に挿入されると什器の底面下部と傾斜部材２２が接触して第1滑り止め部となる滑り止め部材１が溝３へ食い込んで滑り止め部材１が確実に保持されてズレが防止される。
【００２９】
傾斜部材２２と床５０との間の空間は略三角形になる。転倒防止具１０が什器の下面と床の間へ挿入されると傾斜部材２２が変形するので挿入が容易になる。また傾斜部材２２が変形して撓むので弾性力により反発して滑り止め部２と什器の下面との密着性が向上して滑り止め効果が確実になる。また床面にも本体部２の弾性により圧力が加わり第２滑り止め部となる滑り止め部材１による床面との摩擦係数の上昇により水平方向への抗力が増加する。
【００３０】
図４を用いて転倒防止具１０による転倒防止の仕組みを説明する。図４（Ａ）は壁６０の前に置かれた定常状態の冷蔵庫で冷蔵庫の前方のレベルアジャスターの間の部分に転倒防止具１０を挿入する。冷蔵庫の重量は前方Ｐに備えられたレベルアジャスターと後方Ｑに備えられた滑り脚で支えられる。転倒防止具１０は挿入の深さによりその高さが変わるので冷蔵庫の底面下部に転倒防止具の傾斜部材２２が当たり傾斜部材２２の変形が始まる程度に押し込む。
【００３１】
図４（Ｂ）は地震などで床が後方へ移動しても慣性の法則で冷蔵庫の重心が現在位置を保つため前方へ傾いた状態になる冷蔵庫の様子である。床が地震により右方向へ移動するとレベルアジャスターは床との摩擦係数が小さいので冷蔵庫は前方へ滑り出そうとするが滑り止め部を有する転倒防止具１０によって冷蔵庫の４０前方への移動が抑えられる。
【００３２】
前方へ傾いた冷蔵庫４０の後方部Ｑは壁６０に当たるので冷蔵庫の転倒が抑えられる。また前方へ傾いた冷蔵庫の底面により潰されて変形した転倒防止具１０は弾性により冷蔵庫を元へ戻す力を冷蔵庫へ及ぼす。
【００３３】
図４を用いて転倒防止具１０を冷蔵庫へ装着する手順を説明する。冷蔵庫の手前部分には２個のレベルアジャスターが備えられてこれらを調節することで据え付け時の安定化を図る。２個のレベルアジャスターの間は脚カバーで覆われているので手前に引いて脚カバーを取り外す（図４（Ａ））。
【００３４】
脚カバー取り付け部の間の隙間へ転倒防止具１０を挿入する（図４（Ｂ））。その際に転倒防止具１０の傾斜部材２２へ冷蔵庫の底面の下部が当たるように十分中へ押し込んで挿入する。転倒防止具１０を挿入した後に脚カバーを元の位置へ取り付ける（図４（Ｃ））。
【００３５】
図６に従来使われている転倒防止具を示す。従来使われている転倒防止具の材質は硬質プラスチックが用いられる。転倒防止を図る什器を背面に向けて傾けて床との間へ隙間を作り什器の底面の下部が転倒防止具に当たる様に挿入する。そうすると什器は転倒防止具に持ち上げられる形になり背面に向けて傾くことで前方への転倒を防止する。しかしこの転倒防止具は什器の底面の下部と床との隙間が大きい什器では適用が難しい。また材質が硬質プラスチックの場合は床との摩擦係数が小さいので地震時に什器が前方へ滑り出すという問題がある。
【００３６】
これに比べ本発明に係る転倒防止具１０は冷蔵庫の底面の下部と床との隙間を埋めるだけの高さを立設部材の高さを選ぶことで隙間の大きさの変化に対応できる。また取付けに際して冷蔵庫を傾ける必要がない。さらに滑り止め部を有しているので地震時に冷蔵庫の前方への滑り出しを防止することができる。本発明に係る転倒防止具の効果を実験により確認した。
【００３７】
上記に説明した実施例は本願発明の一部であって本願発明の技術思想を含む実施の態様は本願発明の技術思想に含まれる。
【符号の説明】
【００３８】
１  滑り止め部材
２  本体部
２１  立設部材
２２  傾斜部材
３  溝
１０  転倒防止具
４０  冷蔵庫
５０  床
６０  壁
【図１】
2019136064.tif 000003
【図２】
2019136064.tif 000004
【図３】
2019136064.tif 000005
【図４】
2019136064.tif 000006
【図５】
2019136064.tif 000007